(57)【要約】  【課題】審美性や環境性に充分に配慮した軽量な机用パネルを提供する。  【解決手段】机用パネル６０は片面段ボールによって形成された表面材６１が両面段ボールによって平板形状に形成された芯材６４の両面に、波板紙６２を表側にして接着されて製作されている。表面材６１の中間部が芯材６４の上端辺を囲むように折り返されて芯材６４の両面に接着され、表面材６１と芯材６４とが両面接着テープ６８によって部分的に接着されている。机用パネル６０は机１０の天板を支持する左右で一対の天板支持用ポール１８、１９に形成された縦溝３２、３２に両側端部が挿入されて保持される。机用パネルは紙製の段ボールで形成されているので、軽量かつ堅牢で環境にも優しい。しかも、机用パネルの表面は表面材の凹凸側の片面が露出しているため、審美性が高い。  【選択図】図８
2005261560.tif 000002
【特許請求の範囲】
【請求項１】
片面に凹凸を有する段ボールによって形成された表面材が、段ボールによって平板形状に形成された芯材の両面に前記凹凸側の片面を表側にして接着されていることを特徴とする机用パネル。
【請求項２】
前記表面材の中間部が前記芯材の一辺を囲むように折り返されて前記芯材の両面に接着されていることを特徴とする請求項１に記載の机用パネル。
【請求項３】
前記表面材と前記芯材とが両面接着テープによって部分的に接着されていることを特徴とする請求項１または２に記載の机用パネル。
【請求項４】
片面に凹凸を有する段ボールによって形成された表面材が段ボールによって平板形状に形成された芯材の両面に前記凹凸側の片面を表側にして接着されている机用パネルが、天板支持用ポールに形成された縦溝に少なくとも片側端部が挿入されて保持されていることを特徴とする机。
【請求項５】
前記机用パネルの両側端部が、一対の前記天板支持用ポールに形成された縦溝にそれぞれ挿入されていることを特徴とする請求項４に記載の机。
【請求項６】
前記机用パネルの他の片側端部が、前記天板支持用ポールに支持具によって取り付けられた保持具の保持溝に挿入されていることを特徴とする請求項４に記載の机。
【請求項７】
前記机用パネルの下端辺が、一対の前記天板支持用ポール間に架設されて支持具で支持された受け具によって受けられていることを特徴とする請求項４、５または６に記載の机。
【請求項８】
前記支持具が前記縦溝の外面に当接する外側部材と、前記縦溝の内面に当接する内側部材と、前記外側部材と内側部材とを互いに接近する方向に引き寄せて前記縦溝の両方の側壁を挟持させる固定具とを備えていることを特徴とする請求項６または７に記載の机。
【発明の詳細な説明】
【技術分野】
【０００１】
本発明は、机パネルおよびそれを使用した机に関し、例えば、オフィスの机に利用して有効なものに関する。
【背景技術】
【０００２】
一般に、オフィスの机には幕板や側板、机上パーティション（目隠し板）および机間パーティション（机間間仕切り）等の各種の机用パネルが使用されている。
従来のこの種の机用パネルは化粧鋼板や樹脂製板材および木製合板によって製作されているために、重量が大きくなり易く、また、省資源や廃棄等の観点において環境についての配慮が不足している。
【０００３】
そこで、机用パネルとして、軽量で環境に優しい紙製品である段ボールを使用することが、一般的に考えられる（特許文献１参照）。
【特許文献１】特開２００２−２５３３７７号公報
【発明の開示】
【発明が解決しようとする課題】
【０００４】
しかしながら、机用パネルとして段ボールを単純に使用したのでは、オフィスの机に適用するには審美性や環境性の観点から配慮が充分ではない。
【０００５】
本発明の第一の目的は、審美性や環境性に充分に配慮した軽量な机用パネルを提供することにある。
本発明の第二の目的は、その机用パネルを効果的に活用することができる机を提供することにある。
【課題を解決するための手段】
【０００６】
本発明に係る机用パネルは、片面に凹凸を有する段ボールによって形成された表面材が、段ボールによって平板形状に形成された芯材の両面に前記凹凸側の片面を表側にして接着されていることを特徴とする。
本発明に係る机は、前記机用パネルが天板支持用ポールに形成された縦溝に少なくとも片側端部が挿入されて保持されていることを特徴とする。
【発明の効果】
【０００７】
本発明に係る机用パネルは、芯材および表面材がいずれも紙製品である段ボールによって形成されているために、軽量で堅牢であり、環境にも優しい。しかも、机用パネルの表面は表面材の凹凸側の片面が露出しているため、机用パネルとしての審美性は優れたものになる。
本発明に係る机においては、机用パネルの縦の一辺が天板支持用ポールの縦溝に挿入されることにより、机用パネルが机に保持されているために、紙製品である段ボールから製作された机用パネルをそのままの状態で使用することができ、その机用パネルの持つ軽量で環境に優しく、かつ、優れた審美性を効果的に活用することができる。
【発明を実施するための最良の形態】
【０００８】
以下、本発明の一実施の形態を図面に即して説明する。
【０００９】
本実施の形態において、本発明に係る机用パネルは、図１および図２に示されているように、オフィスの机１０に使用されている。
図２に示されているように、本実施の形態に係る机１０は、長手方向に延在する中心線が１３５度に屈曲しており、両端辺が中心線にそれぞれ直交する大略長方形の平盤形状の天板１１を備えている。すなわち、天板１１の厚さは一定に設定されており、長方形の長手方向に延在する中心線１２の開き角Θは１３５度に屈曲されている。天板１１の一方の長辺（以下、後辺という。）１３は「へ」字形状に形成されており、後辺１３の開き角は１３５度に設定されている。後辺１３の一方の部分（以下、直線部という。）１３ａは、他方の部分（以下、屈曲部という。）１３ｂよりも長く設定されている。天板１１の他方の長辺（以下、前辺という。）１４は頂角が彎曲した「へ」字形状に形成されており、前辺１４の開き角は１３５度よりも小さく設定されている。前辺１４の一方の部分（以下、直線部という。）１４ａは、他方の部分（以下、屈曲部という。）１４ｂよりも長く設定されている。天板１１の一方の短辺（以下、直線部側短辺という。）１５は、後辺１３の直線部１３ａおよび前辺１４の直線部１４ａのいずれにも直交しており、天板１１の他方の短辺（以下、屈曲部側短辺という。）１６は、後辺１３の屈曲部１３ｂおよび前辺１４の屈曲部１４ｂのいずれにも略直交している。すなわち、天板１１の両方の端辺である直線部側短辺１５と屈曲部側短辺１６とは、中心線１２にそれぞれ直交している。そして、屈曲部側短辺１６の延長線は直線部側短辺１５の延長線と４５度の開き角度をもって交差するようになっている。
【００１０】
天板１１は右後天板支持用ポール１７、中後天板支持用ポール１８、左後天板支持用ポール１９、左前天板支持用ポール２０および右前天板支持用ポール２１によって、水平に支持されている。右後天板支持用ポール１７と中後天板支持用ポール１８との間には右幕板２２が建て込まれており、中後天板支持用ポール１８と左後天板支持用ポール１９との間には左幕板２３が建て込まれている。右後天板支持用ポール１７と右前天板支持用ポール２１との間には机間パーティション２４（図２参照）が建て込まれており、左後天板支持用ポール１９と左前天板支持用ポール２０との間には左側板２５が建て込まれている。なお、机間パーティション２４は図１においては便宜上、省略されている。
【００１１】
天板支持用ポールの天板支持構造は各天板支持用ポール相互において均等であるので、図３および図４に示された天板支持用ポールの天板支持構造によって説明する。
天板支持用ポール（以下、ポールという。）３０はアルミニウムが使用されて、断面が図４に示されているような大略四葉のクローバ形のパイプ形状に塑性加工によって形成されている。すなわち、ポール３０は大略Ｔ字形状に形成された突出部３１を四つ備えており、四つの突出部３１がＴ字の下端側を揃えて十字形に組み合わされている。隣合う突出部３１、３１のＴ字の横部片同士が垂直に延在する縦溝３２を相対的に画成しており、縦溝３２はポール３０の全長にわたって延在している。ポール３０の上端開口には略円板形状に形成されたキャップ３３が被せ付けられており、キャップ３３は四本の縦溝３２の上端開口を閉塞するようになっている。また、ポール３０の下端部にはポール３０の高さを調整するためのアジャスタ３４（図５および図７参照）が設置されている。各ポールのアジャスタ３４の高さ調整によって天板１１の水平を確保するようになっている。
【００１２】
突出部３１の天板１１の支持高さに対応する位置には、天板１１を締結するためのブラケット４０が取り付けられている。ブラケット４０は突出部３１を外側から把持するクランパ４１を備えている。クランパ４１は互いに噛み合う大略Ｌ字形のブロック形状の一対の第一ブロック４２と第二ブロック４３とを備えている。第一ブロック４２はＬ字の縦部片が突出部３１の接線に外接するように突出部３１の片側側面に当接された状態で、Ｌ字の横部片の先端部が突出部３１の片脇の縦溝３２の内面に係合するようになっている。第二ブロック４３はＬ字形の縦部片が第一ブロック４２と突出部３１との間に挟み込まれた状態で、横部片の先端部が突出部３１の他方の片脇の縦溝３２の内面に係合するようになっている。
第一ブロック４２にはボルト４５を挿通する挿通孔４４が、突出部３１の接線と４５度の傾斜角をもって傾いて水平に開設されており、第二ブロック４３には雌ねじ部材４６が挿通孔４４の延長線上に埋め込まれている。ボルト４５が第一ブロック４２の外側から挿通孔４４に挿通されて雌ねじ部材４６にねじ込まれることにより、第二ブロック４３が第一ブロック４２に引き寄せられるため、第一ブロック４２と第二ブロック４３とは突出部３１を外側から把持した状態になり、相対的に突出部３１に固定した状態になる。第一ブロック４２および第二ブロック４３と突出部３１との合わせ面には、合成樹脂材料から形成されたクッション部材４７が挟み込まれており、クッション部材４７は一体的に突設された延長部４８が第一ブロック４２に没設された取付穴４９に嵌入されることにより、第一ブロック４２に支持されている。
【００１３】
第一ブロック４２にはアーム５０が斜め上方に一体的に突設されており、アーム５０の上端には支持部５１が水平に延設されている。支持部５１にはボルト５３を挿通するための挿通孔５２が複数、間隔を置かれて配されて垂直方向に開設されている。ボルト５３が支持部５１の下側から挿通孔５２に挿通されて天板１１の下面に形成された雌ねじ穴５４にねじ込まれることにより、天板１１は支持部５１すなわちブラケット４０に固定される。このようにして、天板１１はポール３０のブラケット４０に固定されることにより、ポール３０に支持された状態になる。
【００１４】
本実施の形態においては、天板１１は五本のポール１７〜２１のブラケット４０に固定されることにより、五本のポール１７〜２１によって水平に支持された状態になる。五本のポール１７〜２１は天板１１の高さよりも上方に延長されている。
【００１５】
右幕板２２、左幕板２３、机間パーティション２４および左側板２５は、図８に示された本発明の一実施の形態である机用パネル６０が使用されて構成されている。
【００１６】
図８（ｃ）に示されているように、机用パネル６０は図８（ａ）に示された片面に凹凸を有する所謂片面段ボールによって形成された表面材６１が、所謂両面段ボールによって図８（ｂ）に示された平板形状に形成された芯材６４の両面に凹凸側の片面を表側にして接着されて構成されている。
【００１７】
図８（ａ）に示されているように、表面材６１は所謂片面段ボールに製作されており、波形状に形成された波板紙６３が可撓性を有する薄い板紙６２の片面に接着されて製作されている。表面材６１の波板紙６３が接着された側の主面が凹凸側の片面であり、表面材６１は波板紙６３の波が平行に並んだ方向（凹凸が延在する方向と直角の方向）だけに可撓性を発揮するようになっている。薄い板紙６２および波板紙６３はいずれも紙等の環境に優しい材料によって形成されている。波板紙６３は机用パネル６０の審美性を高めるために、適当な色彩を有する材料によって形成することが望ましい。薄い板紙６２と波板紙６３とを接着する接着材（図示せず）としては、澱粉糊や生分解樹脂接着材等のように環境に優しい材料を使用することが好ましい。
【００１８】
図８（ｂ）に示されているように、芯材６４は所謂両面段ボールに製作されている。薄い板紙６５の両面に二枚の波板紙６６、６６がそれぞれ接着されており、両波板紙６６、６６の表側に二枚の厚い板紙６７、６７がそれぞれ接着されている。芯材６４は二枚の厚い板紙６７、６７の間に二枚の波板紙６６、６６を挟み込んだ状態になっているので、軽量であるが、優れた剛性を有する四角形平盤形状のパネルを構成している。薄い板紙６５、波板紙６６および厚い板紙６７はいずれも紙等の環境に優しい材料によって形成されている。薄い板紙６５と波板紙６６と厚い板紙６７とを接着する接着材（図示せず）としては、澱粉糊や生分解樹脂接着材のように環境に優しい材料を使用することが好ましい。
【００１９】
表面材６１を芯材６４に接着するに際しては、図８（ｂ）に示されているように、両面接着テープ６８が芯材６４の両方の主面の同一の端辺（以下、下端辺とする。）の近傍にそれぞれ平行に接着される。但し、図８（ｂ）においては、芯材６４の隠れた側の主面に接着された両面接着テープ６８の図示は省略されている。図８（ｂ）に示されているように、表面材６１は凹凸が延在する方向と直交する方向の長さが芯材６４の上下方向の長さの二倍よりも若干大きいサイズのものが、Ｕ字形状に折り返された状態で、芯材６４に被せられ、薄い板紙６２における波板紙６３の凹凸と平行な一対の下端辺のうち一方が、芯材６４の一方の主面の下端辺の両面接着テープ６８に平行に配されて接着され、他方の下端辺が他方の主面の下端辺の両面接着テープ６８に平行に配されて接着される。図８（ｃ）に示されているように、Ｕ字形状に折り返された表面材６１の中間部は芯材６４の上端辺を囲んだ状態になる。なお、両面接着テープ６８も環境に優しい基材および接着材が使用されて製作されている。
【００２０】
机用パネル６０は右幕板２２、左幕板２３、机間パーティション２４および左側板２５の形状や大きさに対応するように製作される。
【００２１】
左幕板２３、左側板２５および机間パーティション２４の取付構造は均等であるので、その構成は図５に示された左幕板２３を代表にして説明する。なお、図１に示されているように、左幕板２３および左側板２５は天板１１の上方まで延長されているので、机上パーティションを兼用するように構成されている。
【００２２】
図５に示されているように、中後天板支持用ポール１８の左側の縦溝３２と左後天板支持用ポール１９の右側の縦溝３２とは互いに正対している。中後天板支持用ポール１８の左側の縦溝３２および左後天板支持用ポール１９の右側の縦溝３２の下端よりも適当な高さ（例えば、１０〜３０ｃｍ）上方の部位には、左右で一対の支持具７０、７０がそれぞれ取り付けられている。支持具７０は縦溝３２の外面である両脇の突出部３１、３１の外周面に当接する外側部材７１と、縦溝３２の内面である両脇の突出部３１、３１の内周面に当接する内側部材７２と、外側部材７１と内側部材７２とを互いに接近する方向に引き寄せて縦溝３２の両方の側壁である両脇の突出部３１、３１のＴ字の横部片を挟持させる固定具７３とを備えている。固定具７３は外側部材７１の挿通孔７４に挿通されるボルト７５と、内側部材７２に形成された雌ねじ孔７６とから構成されており、ボルト７５が外側部材７１の外側から挿通孔７４に挿通されて内側部材７２の雌ねじ孔７６にねじ込まれることにより、内側部材７２が外側部材７１に引き寄せられるため、内側部材７２と外側部材７１とは両脇の突出部３１、３１のＴ字の横部片を挟持した状態になり、支持具７０と突出部３１とが相対的に固定した状態になる。
【００２３】
図５に示されているように、左右の支持具７０、７０の上には受け具８０が載置されている。受け具８０は薄い化粧鋼板等が使用されて、図７に示されているように、チャンネル型鋼形状に形成された本体８１を備えており、本体８１の左右の両端には左右で一対の挿入部片８２、８２がチャンネル型鋼の底板部を外側に延長して水平に突設されている。本体８１の長さは中後天板支持用ポール１８と左後天板支持用ポール１９との間隔と等しくなるように設定されており、本体８１の幅は縦溝３２の幅および机用パネル６０の厚さと等しくなるように設定されている。挿入部片８２の長さおよび幅は縦溝３２に挿入し得るように縦溝３２の大きさよりも若干小さめに設定されている。
左右の挿入部片８２、８２が中後天板支持用ポール１８の左側の縦溝３２と左後天板支持用ポール１９の右側の縦溝３２とにそれぞれ挿入された状態で、本体８１が中後天板支持用ポール１８および左後天板支持用ポール１９にそれぞれ固定された支持具７０、７０の上に上方から載置されることにより、受け具８０は中後天板支持用ポール１８と左後天板支持用ポール１９との間に架設される。
【００２４】
左幕板２３に使用される机用パネル６０の左右方向の横幅（横の寸法）は、中後天板支持用ポール１８と左後天板支持用ポール１９との間隔と等しくなるように設定され、その高さ（縦の寸法）は縦溝３２の支持具７０から頂部までの寸法と等しくなるように設定されている。このように設定された左幕板２３のための机用パネル６０は左右の側端部が中後天板支持用ポール１８の左側の縦溝３２と左後天板支持用ポール１９の右側の縦溝３２とにそれぞれ挿入された状態で、中後天板支持用ポール１８と左後天板支持用ポール１９との間に建て込まれ、左右の支持具７０、７０間に架設された受け具８０の上に載置される。その後、中後天板支持用ポール１８および左後天板支持用ポール１９の上端開口にキャップ３３、３３が被せ付けられると、左幕板２３は中後天板支持用ポール１８と左後天板支持用ポール１９とに固定された状態になる。
【００２５】
図６および図７は右幕板２２の取付構造を示している。
右幕板２２の取付構造が前述した左幕板２３の取付構造と異なる点は、図６に示されているように、右後天板支持用ポール１７の左側の縦溝３２と中後天板支持用ポール１８の右側の縦溝３２とが互いに正対せずに、中後天板支持用ポール１８の右側の突出部３１が右後天板支持用ポール１７の左側の縦溝３２と正対しているのに対応するように構成されている点、である。
【００２６】
すなわち、中後天板支持用ポール１８の突出部３１には、図７に示された保持具９０が取り付けられており、保持具９０には右幕板２２のための机用パネル６０の左側端部が挿入されている。保持具９０はＣ型鋼形状に形成された取付部材９１と、チャンネル型鋼形状に形成された保持溝部材９２とを備えており、取付部材９１の背面と保持溝部材９２の背面同士が溶接によって固着されている。保持溝部材９２の一端開口（以下、下端とする。）には、支持部片９３がチャンネル型鋼形状の底板部の開口を塞ぐように直角に屈曲されて突設されている。保持溝部材９２の幅は縦溝３２の幅および机用パネル６０の厚さと等しくなるように設定されている。支持部片９３の長さおよび幅は受け具８０に挿入し得るように受け具８０の本体８１の幅よりも若干小さめに設定されている。取付部材９１の中空部が中後天板支持用ポール１８の突出部３１に上端から相対的に嵌入されることにより、保持具９０は中後天板支持用ポール１８の突出部３１に、突出部３１のＴ字形状の両端部を抱え込むように取り付けられる。
【００２７】
図６に示されているように、中後天板支持用ポール１８の保持具９０が取り付けられる突出部３１の両脇の縦溝３２、３２には一対の支持具７０、７０が予め固定されている。一対の支持具７０、７０の取付高さは、中後天板支持用ポール１８の下端よりも適当な高さ（例えば、１０〜３０ｃｍ）上方の部位に設定されており、右後天板支持用ポール１７の左側の縦溝３２に取り付けられた支持具７０の取り付け高さに対応されている。中後天板支持用ポール１８の突出部３１に相対的に嵌入された保持具９０は、中後天板支持用ポール１８の両脇の縦溝３２、３２に取り付けられた両支持具７０、７０の上に乗っかって支持された状態になる。
【００２８】
保持具９０の保持溝部材９２の支持部片９３と、右後天板支持用ポール１７の左側の縦溝３２に取り付けられた支持具７０との上には受け具８０が載置されている。受け具８０の本体８１の長さは、保持具９０の保持溝部材９２と右後天板支持用ポール１７との間隔に等しくなるように設定されている。左右の挿入部片８２、８２が中後天板支持用ポール１８に取り付けられた保持具９０の保持溝部材９２の縦溝と右後天板支持用ポール１７の右側の縦溝３２とにそれぞれ挿入された状態で、本体８１が右後天板支持用ポール１７の支持具７０および保持具９０の支持部片９３の上に上方から載置されることにより、受け具８０は中後天板支持用ポール１８に取り付けられた保持具９０と右後天板支持用ポール１７との間に架設される。
【００２９】
右幕板２２に使用される机用パネル６０の左右方向の横幅（横の寸法）は、中後天板支持用ポール１８に取り付けられた保持具９０と右後天板支持用ポール１７との間隔に等しくなるように設定され、その高さ（縦の寸法）は縦溝３２の支持具７０から頂部までの寸法と等しくなるように設定されている。このように設定された右幕板２２のための机用パネル６０は、左右の側端部が中後天板支持用ポール１８に取り付けられた保持具９０の保持溝部材９２と右後天板支持用ポール１７の左側の縦溝３２とにそれぞれ挿入された状態で、中後天板支持用ポール１８に取り付けられた保持具９０と右後天板支持用ポール１７との間に建て込まれ、中後天板支持用ポール１８に取り付けられた保持具９０と右後天板支持用ポール１７との間に架設された受け具８０の上に載置される。その後、右後天板支持用ポール１７および中後天板支持用ポール１８の上端開口にキャップ３３が被せ付けられると、右幕板２２は右後天板支持用ポール１７と中後天板支持用ポール１８とに固定された状態になる。
【００３０】
前記実施の形態によれば、次の効果が得られる。
【００３１】
1)  机用パネルは芯材および表面材がいずれも紙製品である段ボールによって形成されているために、軽量で堅牢であり、環境にも優しい。したがって、机用パネルは机の廃棄時に簡単に廃棄処分することができる。また、破損した場合や色彩の変更等の机用パネルの交換も容易である。しかも、机用パネルの表面は表面材の凹凸側の片面が露出しているため、机用パネルとしての審美性は優れたものになる。また、ピンを刺すことができるので、ピンナップが可能になる。特に、机上パーティションに構成した場合に、優れた効果が得られる。
【００３２】
2)  表面材の中間部を芯材の一辺を囲むように折り返して芯材の両面に接着することにより、机用パネルの芯材の上端露出部を表面材の凹凸面によって被覆して装飾することができるので、部品点数や作業工数を増加することなく、机用パネルの審美性を向上させることができる。
【００３３】
3)  表面材と芯材とを固形物で取り扱いが容易な両面接着テープによって接着することにより、表面材の接着部位に皺が発生するのを未然に防止することができるとともに、作業性が良好であるので、机用パネルの外観性能の低下を防止することができる。
【００３４】
4)  表面材と芯材とを両面接着テープによって部分的に接着することにより、表面材に全体的な皺が発生するのを未然に防止することができるので、机用パネルの外観性能の低下を防止することができる。
【００３５】
5)  机用パネルの縦の一辺を天板支持用ポールの縦溝に挿入させて机用パネルを机に保持することにより、紙製品である段ボールから製作された机用パネルをそのままの状態で使用することができるので、その机用パネルの軽量で環境に優しく、かつ、優れた審美性を効果的に活用することができる。
【００３６】
6)  机用パネルの両方の側端部を一対の天板支持用ポールの縦溝にそれぞれ挿入させて机用パネルを机に保持することにより、机用パネルの両端の切り口を両方の縦溝内に隠すことができるので、机の外観性能の低下を防止することができる。
【００３７】
7)  机用パネルの他の片側端部を天板支持用ポールに支持具によって取り付けられた保持具の保持溝部材に挿入することにより、左右の天板支持用ポールが非対称形になっていても、机用パネルを建て込むことができる。
【００３８】
8)  机用パネルの下端辺を一対の天板支持用ポール間に架設されて支持具で支持された受け具によって受けることにより、段ボールから成る机用パネルの下端を受け具によって保持することができるので、段ボールから成る机用パネルを机の幕板や側板として使用することができる。
【００３９】
9)  支持具が縦溝の外面に当接する外側部材と、縦溝の内面に当接する内側部材と、外側部材と内側部材とを互いに接近する方向に引き寄せて縦溝の両方の側壁を挟持させる固定具とから構成することにより、天板支持用ポールをねじ孔を開設したり、その他の改造を加えずに、机用パネルを天板支持用ポール間に建て込むことができる。
【００４０】
なお、本発明は前記実施の形態に限定されるものではなく、その要旨を逸脱しない範囲において、種々に変更が可能であることはいうまでもない。
【００４１】
例えば、机用パネルの下端辺を受ける受け具は省略してもよい。
【００４２】
支持具は前記実施の形態のように構成するに限らず、天板支持用ポールの外周を締め付けるリング等によって構成してもよい。
天板支持用ポールの上端に被せるキャップは縦溝を閉じる円盤形状に形成するに限らず、図１および図２に示されているように、天板支持用ポールの平面形状と同形の略四葉のクローバの形状に形成して縦溝を開口させるように構成してもよい。また、キャップは省略してもよい。
【００４３】
机の幕板や側板は机上パーティションを兼用するに限らず、天板の下部空間だけを囲うように構成してもよい。また、机間パーティションは省略してもよい。
【図面の簡単な説明】
【００４４】
【図１】本発明の一実施の形態である机を連結した場合を示す一部省略斜視図である。
【図２】本発明の一実施の形態である机を示す平面図である。
【図３】天板支持用ポールの天板の支持構造を示しており、（ａ）は一部切断側面図、（ｂ）は（ａ）の矢印ｂの方向からの矢視図である。
【図４】図３のIV−IV線に沿う平面断面図である。
【図５】左幕板を示しており、（ａ）は机用パネルを除いた一部省略一部切断平面図、（ｂ）は一部省略一部切断正面図である。
【図６】右幕板を示しており、（ａ）は机用パネルを除いた一部省略一部切断平面図、（ｂ）は一部省略一部切断正面図である。
【図７】その主要部を示す分解斜視図である。
【図８】本発明の一実施の形態である机用パネルを示しており、（ａ）は表面材の斜視図、（ｂ）は芯材の斜視図、（ｃ）は全体斜視図である。
【符号の説明】
【００４５】
１０…１３５度天板付き机（机）、１１…天板、１２…中心線、１３…後辺、１３ａ…直線部、１３ｂ…屈曲部、１４…前辺、１４ａ…直線部、１４ｂ…屈曲部、１５…直線部側短辺、１６…屈曲部側短辺、１７…右後天板支持用ポール、１８…中後天板支持用ポール、１９…左後天板支持用ポール、２０…左前天板支持用ポール、２１…右前天板支持用ポール、２２…右幕板、２３…左幕板、２４…机間パーティション、２５…左側板、３０…ポール（天板支持用ポール）、３１…突出部、３２…縦溝、３３…キャップ、３４…アジャスタ、４０…ブラケット、４１…クランパ、４２…第一ブロック、４３…第二ブロック、４４…挿通孔、４５…ボルト、４６…雌ねじ部材、４７…クッション部材、４８…延長部、４９…取付穴、５０…アーム、５１…支持部、５２…挿通孔、５３…ボルト、５４…雌ねじ穴、６０…机用パネル、６１…表面材、６２…薄い板紙、６３…波板紙、６４…芯材、６５…薄い板紙、６６…波板紙、６７…厚い板紙、６８…両面接着テープ、７０…支持具、７１…外側部材、７２…内側部材、７３…固定具、７４…挿通孔、７５…ボルト、７６…雌ねじ孔、８０…受け具、８１…本体、８２…挿入部片、９０…保持具、９１…取付部材、９２…保持溝部材、９３…支持部片。
【図１】
2005261560.tif 000003
【図２】
2005261560.tif 000004
【図３】
2005261560.tif 000005
【図４】
2005261560.tif 000006
【図５】
2005261560.tif 000007
【図６】
2005261560.tif 000008
【図７】
2005261560.tif 000009
【図８】
2005261560.tif 000010